(57)【要約】 【課題】経皮的内視鏡用ラスパで、細長い外筒に挿入可能で先端側が湾曲し，ラスパ先端への軸圧に対しても十分な強度があることを目的とする。【解決手段】本発明の器具は外筒湾曲部では内腔が横断面において直線的な長孔であるため平板であるラスパ本体は長軸方向において弯曲することができ，一方で外筒先端部では内腔が横断面において弯曲した長孔でありラスパ本体も横方向に弯曲するためラスパの先にかかる軸圧による変形作用に抗する強度が得られる．【選択図】図３
2015092948.tif 000002
【特許請求の範囲】
【請求項１】
外筒とラスパ本体とで構成され， 
外筒先端部の内腔は横断面において弯曲した長孔もしくはその長孔周囲の一部に開放部分を有する孔であり、
外筒の先端部に隣接して基部側にある外筒湾曲部の内腔は横断面において直線的な長孔もしくはその長孔周囲の一部に開放部分を有する孔であり，外筒湾曲部は長軸方向において弯曲しており，
ラスパ本体の少なくとも先端側は弾性材で平長板形状もしくは横方向において湾曲した長板形状となっており、
ラスパ本体は外筒内を摺動でき，外筒の基部側にある外筒固定部でラスパ本体を外筒と固定することができることを特徴とする経皮的内視鏡用剥離子．
【請求項２】
外筒の湾曲部より基部側にある外筒直管部の内腔は横断面において長孔形状もしくは弯曲した長孔形状もしくは円筒状もしくは多角形筒であり，ラスパ本体の基部側は平板形状もしくは横方向に湾曲した板形状もしくは円柱形状もしくは多角柱形状であることを特徴とする請求項１に記載の経皮的内視鏡用剥離子．
【発明の詳細な説明】
【技術分野】
【０００１】
本発明は、経皮的内視鏡下手術において、骨面から軟部組織を剥離する際に用いられる剥離子（ラスパ）に関するものである。
【背景技術】
【０００２】
椎弓の内面に黄色靱帯が固着しているが，腰部脊柱管狭窄症では黄色靱帯が肥厚しておりそれが脊柱管内の神経を圧迫している。治療にはこの黄色靱帯などを切除する必要がある。
【０００３】
経皮的内視鏡下手術は、内視鏡手術のひとつで、直径７〜10mmで長さが170mm程の細長い円筒形の外筒の中に、160〜250mm程の長い硬性鏡の鏡筒と潅流管と光源が一体となったものを挿入し、残りの直径３〜５mmの空間に細長い器具を挿入して手術を行うものである。非常に狭い空間に内視鏡を入れるが、潅流水を流すことで視野を良好に確保できる。非常に侵襲が少ない手術方法であるが、細い器具しか挿入できないため、様々な制約がある。
【先行技術文献】
【特許文献】
【０００４】
【特許文献１】特開２００６−３３４３４８
【発明の概要】
【発明が解決しようとする課題】
【０００５】
経皮的内視鏡下手術では外筒の長軸方向の延長上より側方に離れた所へ挿入器具の先を届かせるために図１の鉗子（特開２００６−３３４３４８）のように軸と軸受けがある構造により先端の一部が開閉する器具がある。同じ機構を持つ経皮的内視鏡用鉗子は存在するが，その軸や軸受けは非常に小さいため強度が低く、骨から黄色靱帯を剥離する操作時にかかる強い軸圧に対して十分ではない。骨から黄色靭帯を剥離するためには強い軸圧に耐えうる強度が必要である．しかし経皮的内視鏡では細径ゆえに複雑な構造では十分な強度を得ることは難しい．
【０００６】
そこで、本発明の経皮的内視鏡用ラスパは、細長い外筒に挿入可能で、先端側が湾曲でき、先端部への軸圧に対して十分な強度があることを目的とする。
【課題を解決するための手段】
【０００７】
外筒は先端から順に，先端部，湾曲部，直管部，固定部で構成される．外筒の最先端にある先端部では内腔が横断面において湾曲した長孔になっており、それに連続して基部側にある湾曲部は内腔が横断面において直線的な長孔である。直管部の内腔も横断面において湾曲した長孔である。湾曲部は湾曲しており，直管部は真っ直ぐである．外筒の内腔内にラスパ本体があり、ラスパ本体は弾性材の長板で横方向に軽度湾曲している。ラスパ本体は外筒内を摺動できる。外筒の最基側の固定部でラスパ本体を固定することができる。
【０００８】
外筒先端部の横断面の内腔は一部開放された面がある図１０のような形状も例示することができる．外筒湾曲部の横断面の内腔は一部開放された面がある図１１のような形状も例示することができる．直管部の横断面の内腔は円筒状や多角形筒で，ラスパ本体の基部側は円柱状または多角柱状であるような形状も考えられる。
【発明の効果】
【０００９】
ラスパ本体は長板であり外筒湾曲部では内腔が直線的な長孔であるため，ラスパ本体は外筒湾曲部の湾曲に沿って湾曲することができる。一方，外筒先端部では内腔が横断面において湾曲しているためラスパ本体も横方向に湾曲しているので，ラスパ本体先端部分は長軸方向において湾曲しにくくなり，長軸方向の圧力に対する強度が上がる．
【００１０】
軸と軸受構造のような微細な構造物がないため，破断しにくく，湾曲して経皮的内視鏡の軸方向から側方に離れた所にラスパ先端を届かせることができ，ラスパの長軸方向にかかる圧力に対して十分な強度を保つことができる。
【図面の簡単な説明】
【００１１】
【図１】軸と軸受を持つ鉗子の縦断面図である。
【図２】本発明の実施形態１の全体側面図である。
【図３】本発明の実施形態１の先端側と基部側を拡大した側面図である。
【図４】本発明の実施形態１の外筒の先端側の側面図である．
【図５】本発明の実施形態１の先端側の斜視図である．
【図６】本発明の実施形態１の基部側の側面図である。
【図７】本発明の実施形態１の基部側の縦断面図である。
【図８】本発明の実施形態１の先端部１aの横断面図である。
【図９】本発明の実施形態１の湾曲部１bの横断面図である。
【図１０】本発明の実施形態２の先端部１aの横断面図である。
【図１１】本発明の実施形態２の湾曲部１bの横断面図である。
【発明を実施するための形態】
【００１２】
本発明の実施形態１を図２〜９を用いて説明する。図２，３全体図で，図４，５は先端側の図，図６，７は基部側の図である。外筒１は先端から順に，先端部１a，湾曲部１b，直管部１c，固定部１dで構成される．外筒の内腔内にラスパ本体２があり、ラスパ本体２は弾性材の長板で横方向において軽度湾曲している。ラスパ本体２は外筒１内を摺動できる。外筒１の最基側にある固定部１dのネジ３でラスパ本体を固定することができる。
【００１３】
先端部１aの横断面において内腔が湾曲した長孔になっており（図８）、湾曲部１ｂの横断面において内腔は直線的な長孔である（図９）。直管部1cの横断面において内腔は湾曲した長孔（図８）である。湾曲部1bは長軸方向において湾曲しており，直管部1cは長軸方向において真っ直ぐである．
【００１４】
本発明の実施形態２は，外筒先端部の横断面において内腔は湾曲した長孔で一部開放された面があり（図１０），湾曲部の横断面において内腔は直線的な長孔で一部開放された面がある（図１１）．
【符号の説明】
【００１５】
１      外筒
２      ラスパ本体
３      ネジ
【図１】
2015092948.tif 000003
【図２】
2015092948.tif 000004
【図３】
2015092948.tif 000005
【図４】
2015092948.tif 000006
【図５】
2015092948.tif 000007
【図６】
2015092948.tif 000008
【図７】
2015092948.tif 000009
【図８】
2015092948.tif 000010
【図９】
2015092948.tif 000011
【図１０】
2015092948.tif 000012
【図１１】
2015092948.tif 000013